(57)【要約】【課題】  無線通信及び有線通信の両方を使用可能なＩＣタグにおいて、無駄な電力消費を回避する。【解決手段】  前記無線通信の電波を整流して電源を生成する無線電源回路１０５と、無線送受信制御手段１０４と、有線送受信制御手段１０７と、無線電源回路１０５が生成する電源及び外部機器から供給される電源の、本ＩＣタグ内部への通電を制御する電源制御手段１０９を有する。【選択図】図１
2011257886.tif 000002
【特許請求の範囲】
【請求項１】
無線通信及び有線通信により機器との通信が可能なＩＣタグであって、
前記無線通信を行うための無線通信手段と、
前記有線通信を行うための有線通信手段と、
前記無線通信手段を駆動する無線電源及び前記有線通信手段を駆動する有線電源の、前記ＩＣタグ内部の電気回路への通電を制御する電源制御手段と、
を有し、
前記電源制御手段は、前記無線電源及び前記有線電源を検出すると共に、前記無線電源のみを検出しているときは、前記無線電源を、前記有線通信手段を除く前記電気回路に通電し、前記有線電源のみを検出しているときは、前記有線電源を、前記無線通信手段を除く前記電気回路に通電することを特徴とするＩＣタグ。
【請求項２】
請求項１に記載されたＩＣタグにおいて、
前記無線通信の電波を整流して無線電源を生成する無線電源生成手段を有することを特徴とするＩＣタグ。
【請求項３】
請求項１又は２に記載されたＩＣタグにおいて、
前記電源制御手段は、前記無線電源及び前記有線電源を共に検出しているときは、前記無線電源及び前記有線電源の、現在の通電状態を維持することを特徴とするＩＣタグ。
【請求項４】
請求項１ないし３のいずれかに記載されたＩＣタグにおいて、
前記電源制御手段は、セット端子及びリセット端子に前記無線電源及び前記有線電源がそれぞれ接続された、フリップフロップを有することを特徴とするＩＣタグ。
【請求項５】
入力された原稿の画像データに基づいて前記原稿画像を印刷する画像印刷手段を有する画像形成装置であって、
請求項１ないし４のいずれかに記載されたＩＣタグを有することを特徴とする画像形成装置。
【請求項６】
無線通信及び有線通信により機器との通信が可能なＩＣタグの電源制御方法であって、
前記無線通信手段を駆動する無線電源及び前記有線通信手段を駆動する有線電源を検出する工程と、
前記無線電源及び前記有線電源の、前記ＩＣタグ内部の電気回路への通電を制御する工程と、
を有し、
前記通電を制御する工程は、前記無線電源及び前記有線電源を検出すると共に、前記無線電源のみを検出しているときは、前記無線電源を、前記有線通信にのみ用いられる電気回路以外の電気回路に通電し、前記有線電源のみを検出しているときは、前記有線電源を、前記無線通信にのみ用いられる電気回路以外の電気回路に通電することを特徴とするＩＣタグの電源制御方法。
【請求項７】
無線通信及び有線通信により機器との通信が可能なＩＣタグのコンピュータを、
前記無線通信手段を駆動する無線電源及び前記有線通信手段を駆動する有線電源を検出する手段と、
前記無線電源及び前記有線電源の、前記ＩＣタグ内部への通電を制御する手段と、
として機能させるプログラムであって、
前記通電を制御する手段は、前記無線電源及び前記有線電源を検出すると共に、前記無線電源のみを検出しているときは、前記無線電源を、前記有線通信にのみ用いられる電気回路以外の電気回路に通電し、前記有線電源のみを検出しているときは、前記有線電源を、前記無線通信にのみ用いられる電気回路以外の電気回路に通電することを特徴とするプログラム。
【発明の詳細な説明】
【技術分野】
【０００１】
本発明は、無線通信及び有線通信により機器との通信が可能なＩＣタグ、ＩＣタグを有する画像形成装置、ＩＣタグの電源制御方法、及びプログラムに関する。
【背景技術】
【０００２】
近年、画像形成装置等の機器において、保守サービスの向上やユーザに対する機器情報提供等のサービス向上のため、保守作業者やユーザ等により、その機器に関する設定情報や消耗品の使用状況等の情報を取得できるようにしたものが増加している。
これらの情報を記憶しておく方法として、機器毎にＩＣタグを取り付けて使用する方法が知られている（特許文献１参照）。ＩＣタグとは、一般に、情報を記憶しておくメモリと、メモリの読み出し及び書き込みを行う制御回路と、無線通信により外部との通信を行うための通信回路とを、１個のＩＣ上に形成したもの（ＲＦＩＤ：Radio Frequency Identification）であり、専用の無線端末により、そのメモリ内の情報を読取ることができる。このＩＣタグを機器に取り付けて、その機器の設定情報等をＩＣタグに記憶させることにより、ユーザは、機器の表示装置により設定情報を見ることができ、保守作業者は、携帯用の無線端末によりその設定情報見ることができる。
【０００３】
しかし、従来のＩＣタグ（ＲＦＩＤ）では、機器との通信手段が無線通信に限られており、ＩＣタグが取り付けられる機器自体との通信も無線により行う必要がある等、通信方法に柔軟性を欠くという問題を有している。
これを解消するため、無線通信に加えて、有線通信によっても機器との通信が可能なＩＣタグが知られている（特許文献２参照）。このＩＣタグは、適宜その有効／無効を切り換えて使用される無線用及び有線用の通信制御回路を備え、無線電波により供給される電力及び電線ケーブルを介して供給される電力を共に使用して動作する。
【０００４】
しかしながら、無線通信及び有線通信により機器との通信が可能な従来のＩＣタグでは、無線用及び有線用の通信制御回路の有効／無効は切り換えられるものの、電源の供給は、無効となっている通信制御回路に対しても行われるため、無駄な電力が消費されるという問題がある。
【発明の概要】
【発明が解決しようとする課題】
【０００５】
本発明は、上記従来の問題に鑑みなされたものであって、その目的は、無線通信及び有線通信により機器との通信が可能なＩＣタグにおいて、無駄な電力消費を回避することである。
【課題を解決するための手段】
【０００６】
請求項１に記載された発明は、無線通信及び有線通信により機器との通信が可能なＩＣタグであって、前記無線通信を行うための無線通信手段と、前記有線通信を行うための有線通信手段と、前記無線通信手段を駆動する無線電源及び前記有線通信手段を駆動する有線電源の、前記ＩＣタグ内部の電気回路への通電を制御する電源制御手段と、を有し、前記電源制御手段は、前記無線電源及び前記有線電源を検出すると共に、前記無線電源のみを検出しているときは、前記無線電源を、前記有線通信手段を除く前記電気回路に通電し、前記有線電源のみを検出しているときは、前記有線電源を、前記無線通信手段を除く前記電気回路に通電することを特徴とする。
請求項２に記載された発明は、請求項１に記載されたＩＣタグにおいて、前記無線通信の電波を整流して無線電源を生成する無線電源生成手段を有することを特徴とする。
請求項３に記載された発明は、請求項１又は２に記載されたＩＣタグにおいて、前記電源制御手段は、前記無線電源及び前記有線電源を共に検出しているときは、前記無線電源及び前記有線電源の、現在の通電状態を維持することを特徴とする。
請求項４に記載された発明は、請求項１ないし３のいずれかに記載されたＩＣタグにおいて、前記電源制御手段は、セット端子及びリセット端子に前記無線電源及び前記有線電源がそれぞれ接続された、フリップフロップを有することを特徴とする。
請求項５に記載された発明は、入力された原稿の画像データに基づいて前記原稿画像を印刷する画像印刷手段を有する画像形成装置であって、請求項１ないし４のいずれかに記載されたＩＣタグを有することを特徴とする。
請求項６に記載された発明は、無線通信及び有線通信により機器との通信が可能なＩＣタグの電源制御方法であって、前記無線通信手段を駆動する無線電源及び前記有線通信手段を駆動する有線電源を検出する工程と、前記無線電源及び前記有線電源の、前記ＩＣタグ内部の電気回路への通電を制御する工程と、を有し、前記通電を制御する工程は、前記無線電源及び前記有線電源を検出すると共に、前記無線電源のみを検出しているときは、前記無線電源を、前記有線通信にのみ用いられる電気回路以外の電気回路に通電し、前記有線電源のみを検出しているときは、前記有線電源を、前記無線通信にのみ用いられる電気回路以外の電気回路に通電することを特徴とする。
請求項７に記載された発明は、無線通信及び有線通信により機器との通信が可能なＩＣタグのコンピュータを、前記無線通信手段を駆動する無線電源及び前記有線通信手段を駆動する有線電源を検出する手段と、前記無線電源及び前記有線電源の、前記ＩＣタグ内部への通電を制御する手段と、として機能させるプログラムであって、前記通電を制御する手段は、前記無線電源及び前記有線電源を検出すると共に、前記無線電源のみを検出しているときは、前記無線電源を、前記有線通信にのみ用いられる電気回路以外の電気回路に通電し、前記有線電源のみを検出しているときは、前記有線電源を、前記無線通信にのみ用いられる電気回路以外の電気回路に通電することを特徴とする。
【発明の効果】
【０００７】
本発明によれば、無線通信及び有線通信により機器との通信が可能なＩＣタグにおいて、無駄な電力消費を回避することができる。
【図面の簡単な説明】
【０００８】
【図１】本発明によるＩＣタグの一実施形態を示すブロック図である。
【図２】本ＩＣタグを使用した画像形成装置の構成を示すブロック図である。
【図３】本ＩＣタグとの無線通信を行う無線送受信端末の構成を示すブロック図である。
【図４】本ＩＣタグの電源制御手段の動作手順を示すフロー図である。
【図５】本ＩＣタグの電源制御手段の第1の実施例を示す回路図である。
【図６】本ＩＣタグの電源制御手段の第2の実施例を示す構成図である。
【図７】本ＩＣタグの電源制御手段の、第2の実施例の動作手順を示すフロー図である。
【発明を実施するための形態】
【０００９】
以下、図面を参照して、本発明の実施の形態を説明する。
図１は、本発明によるＩＣタグの一実施形態を示すブロック図である。
本ＩＣタグは、機器の設定情報等が書き込まれた不揮発メモリ１０１と、不揮発メモリ１０１に対する情報の読み出し／書き込み動作を制御するメモリ制御回路１０２と、無線電波の送受信を行うアンテナ１０３と、アンテナ１０３を介して無線通信を行うための無線通信手段、例えば無線送受信制御回路１０４と、本ＩＣタグが適用される外部機器の通信ラインが接続される有線信号ポート１０６と、有線信号ポート１０６を介して外部機器と有線通信を行うための有線通信手段、例えば有線送受信制御回路１０７とを有している。
【００１０】
また、本ＩＣタグは、無線通信手段である無線送受信制御回路１０４を駆動するための電源、すなわち無線電源を、例えば、アンテナ１０３から受信した電波を整流することによって生成する、無線電源生成手段である無線電源回路１０５と、有線通信手段である有線送受信制御回路１０７を駆動するための電源、すなわち有線電源を、例えば電線を介して機器から供給される電源から得るための有線電源ポート１０８と、有線電源及び無線電源の、本ＩＣタグ内部の電気回路への通電を制御する電源制御手段１０９を有している。ここで、無線通信時及び有線通信時に共通して使用される不揮発メモリ１０１とメモリ制御回路１０２の電源ラインは、相互に接続されて電源制御手段１０９に接続されている（以下、この電源ラインを、「共通電源ライン」と称する。）。
なお、電源制御手段１０９は、後述するように、例えば、フリップフロップを用いた電気回路、あるいは、プログラムによりＣＰＵを含むコンピュータの機能実現手段として実現される。
【００１１】
図２は、本ＩＣタグを使用した画像形成装置の構成を示すブロック図である。本画像形成装置２００は、原稿の画像を読み込んで電気信号に変換し、画像データを出力する、画像読取手段であるスキャナ部２０１と、スキャナ部２０１から出力される画像データを処理すると共に、画像形成装置２００各部の動作を制御する制御部２０２と、スキャナ部２０１が読み込んだ画像を表示する表示部２０３と、ユーザからの指示を入力するため指示入力部２０４と、スキャナ部２０１から読み込まれ制御部２０２で処理された画像データを印刷する、画像印刷手段であるプリンタ部２０５とを有している。また、プリンタ部２０５は、印刷に使用する４色の顔料をそれぞれ格納したトナーボトル２０５１〜２０５４を有しており、各トナーボトル２０５１〜２０５４には、それぞれ、図１にその構成を示した本ＩＣタグ１〜４が設けられている。なお、図２のトナーボトルに示す（Ｙ）（Ｍ）（Ｃ）及び（Ｋ）の文字は、そのトナーボトルが格納している顔料の色が、それぞれ、黄色（Ｙ）、マゼンタ（Ｍ）、シアン（Ｃ）、黒（Ｋ）であることを示している。
【００１２】
図３は、画像形成装置２００の保守作業者等が携帯し、画像形成装置２００に設けられた本ＩＣタグ１〜４との間で無線によるデータの送受信を行うための、無線送受信端末３００の構成を示すブロック図である。
本無線送受信端末３００は、本ＩＣタグ１〜４との間で無線電波の送受信を行うアンテナ３０１と、アンテナ３０１により送信する信号を生成すると共に、アンテナ３０１により受信された信号を処理する信号処理部３０２と、アンテナ３０１により受信された本ＩＣタグ１〜４からのデータを表示する表示部３０３と、本ＩＣタグ１〜４に送信すべきデータを保守作業者が入力するための入力部３０４とを有している。
【００１３】
本ＩＣタグ１〜４の動作はそれぞれ同じであるため、以下の説明においては、本ＩＣタグ１を例に採って説明する。
上記の構成において、本ＩＣタグ１の電源制御手段１０９は、無線電源の供給のみを検出したときは、有線送受信制御回路１０７以外への無線電源の通電のみをオンにする。これにより、無線通信の際には不用な有線送受信制御回路１０７には通電されず、無駄な電力消費が回避される。また、電源制御手段１０９は、有線電源の供給のみを検出したときは、無線送受信制御回路１０４以外への有線電源の通電のみをオンにする。これにより、有線通信の際には不用な無線送受信制御回路１０４には通電されず、無駄な電力消費が回避される。さらに、無線電源及び有線電源の供給を共に検出したときは、現在の通電状態を維持し、上記と同様にして、無駄な電力消費を回避しつつ、無線通信又は有線通信のうち、現在に行われている通信を継続する。
以上により、本ＩＣタグ１は、無駄な電力消費が回避しつつ、画像形成装置２００又は無線送受信端末３００との間で、それぞれ、無線通信又は有線通信を行うことができる。
【００１４】
次に、本実施形態の動作について説明する。
まず、画像形成装置２００が、本ＩＣタグ１に対して有線通信を要求する手順について説明する。
ユーザが、画像形成装置２００の電源を投入し、画像形成装置２００の指示入力部２０４を介して、本ＩＣタグ１に記憶されている設定情報等の読み出しを要求すると、画像形成装置２００の制御部２０２は、本ＩＣタグ１の有線電源ポート１０８に電源（有線電源）を供給する。
本ＩＣタグ１は、電源制御手段１０９により、有線電源が供給されたことを検出し、画像形成装置２００が有線通信を要求していることを認識する。
【００１５】
次に、無線送受信端末３００が、本ＩＣタグ１に対して無線通信を要求する手順について説明する。
保守作業者が、無線送受信端末３００の電源を投入し、入力部３０４を介して、本ＩＣタグ１に記憶されている設定情報等の読み出しを要求すると、無線送受信端末３００はアンテナ３０１から電波の送信を開始する。
本ＩＣタグ１は、アンテナ１０３により、この電波を受信し、無線電源回路１０５が、その電波を整流して電源を出力する。電源制御手段１０９は、無線電源回路１０５から電源が出力されたことを検出して、無線送受信端末３００が無線通信を要求していることを認識する。
【００１６】
以下、本ＩＣタグ１の動作手順を、図４のフロー図に従って説明する。
（１）上述のようにして、有線電源又は無線電源が本ＩＣタグ１に供給され、電源制御手段１０９が動作を開始する（Ｓ１０１）。
（２）電源制御手段１０９は、無線電源が供給されているか否かを判定し（Ｓ１０２）、無線電源が供給されているときには（Ｓ１０２、Ｙｅｓ）、有線電源が供給されているか否かも判定する（Ｓ１０３）。そして、有線電源も供給されているときには（Ｓ１０３、Ｙｅｓ）、ステップ１０２に戻る。これにより、無線電源及び有線電源の双方が供給されているときは、現在の通電状態が維持される。その結果、先に確立した通信を維持することとなる。
【００１７】
（３）一方、ステップＳ１０２において、無線電源が供給されていないと判定したときは（Ｓ１０２、Ｎｏ）、有線電源は供給されているので、電源制御手段１０９は、有線電源を、無線送受信制御手段１０４以外の電気回路に通電して（Ｓ１０４）、ステップＳ１０２に戻る。これにより、有線通信が確立されるか、又は、既に有線通信が確立している場合は、有線通信が維持される。
（４）また、ステップＳ１０３において、有線電源が供給されていないと判定したときは（Ｓ１０３、Ｎｏ）、無線電源のみが供給されているので、電源制御手段１０９は、無線電源を、有線送受信制御回路１０７以外の電気回路に通電して（Ｓ１０５）、ステップＳ１０２に戻る。これにより、無線通信が確立又は維持される。
【００１８】
次に、図１に示す本ＩＣタグの電源制御手段１０９の第１の実施例を、図５を用いて説明する。
図５は、本ＩＣタグの電源制御手段１０９（１）の回路図である。
本電源制御手段１０９（１）は、負論理のＳ（セット）端子に有線電源が接続され、負論理のＲ（リセット）端子に無線電源が接続されたＲＳフリップフロップ４０１と、ＲＳフリップフロップ４０１のＱ端子からの出力により無線電源の通電をオン・オフするためのＰＮＰ型のトランジスタ（Ｔｒ：Transistor）４０２及びＮＰＮ型のＴｒ４０３と、ＲＳフリップフロップ４０１のｎＱ端子からの信号により、有線電源の通電をオン・オフするためのＰＮＰ型のＴｒ４０４及びＮＰＮ型のＴｒ４０５と、無線電源及び有線電源の電圧を分圧して、ＲＳフリップフロップ４０１のＳ端子及びＲ端子への入力電圧を規定する抵抗（Ｒ：Resistor）４０６〜４０９を有している。なお、ＲＳフリップフロップ４０１のＶ（電源）端子には、無線電源及び有線電源が接続されており、このため、ＲＳフリップフロップ４０１は、無線電源又は有線電源のうち少なくともいずれか一方の電源が供給状態になれば動作することとなる。
【００１９】
また、電源制御手段１０９（１）は、ダイオード（Ｄ：Diode）４１０〜４１３も有している。ここに、Ｄ４１０、４１１は、無線電源及び有線電源の間で相互に電流が流れ込まないよう、無線電源と有線電源とを分離するためのダイオード、Ｄ４１２は有線電源が無線送受信制御回路１０４に通電されないようにするためのダイオード、Ｄ４１３は無線電源が有線送受信制御回路１０７に通電されないようにするためのダイオードである。
【００２０】
上記の構成において、ＲＳフリップフロップ４０１のＳ端子及びＲ端子は、抵抗４０７及び４０９により接地されているため、有線電源又は無線電源が供給されていない状態では、それぞれ、０Ｖの低電圧状態となる。一方、有線電源又は無線電源が供給された状態では、各電源の電圧は、抵抗４０６、４０７、及び抵抗４０８、４０９によりそれぞれ分圧され、Ｓ端子又はＲ端子の入力は、それぞれ高電圧状態となる。
【００２１】
次に、本電源制御手段１０９（１）の動作を、無線電源及び有線電源の供給状態ごとに説明する。
（無線電源のみ供給された状態）
無線電源のみが供給されると、ＲＳフリップフロップ４０１のＳ端子が低電圧状態、Ｒ端子が高電圧状態となり、Ｓ端子及びＲ端子は共に負論理であることから、ＲＳフリップフロップ４０１のＱ端子は高電圧状態となる。これにより、Ｔｒ４０３のコレクタ・エミッタ間（以下、「ＣＥ間」と称する。）がオン状態となり、Ｔｒ４０２のＣＥ間もオン状態となって、Ｔｒ４０２のエミッタに接続されている無線電源がコレクタに出力され、有線送受信制御回路１０７以外の電気回路に通電される。
一方、有線電源は供給されていないため、有線電源はＴｒ４０４のエミッタには供給されない。また、ｎＱ端子は、Ｑ端子の論理反転状態、すなわち低電圧状態となるので、Ｔｒ４０５のＣＥ間はオフ状態となり、Ｔｒ４０４のＣＥ間もオフ状態となって、有線電源ラインはＴｒ４０４のエミッタには接続されない。
【００２２】
（有線電源のみ供給された状態）
有線電源のみが供給されると、ＲＳフリップフロップ４０１のＳ端子が高電圧状態、Ｒ端子が低電圧状態となり、Ｓ端子及びＲ端子は共に負論理であることから、ＲＳフリップフロップ４０１のＱ端子は低高電圧状態、ｎＱ端子は高電圧状態となる。これにより、ｎＱ端子に接続されているＴｒ４０５のＣＥ間及びＴｒ４０４のＣＥ間がオン状態となり、Ｔｒ４０４のエミッタに接続されている有線電源がコレクタに出力され、無線送受信制御回路１０４以外の電気回路に通電される。
一方、無線電源は供給されていないため、無線電源はＴｒ４０２のエミッタには供給されない。また、Ｑ端子は低電圧状態となるので、Ｔｒ４０３のＣＥ間及びＴｒ４０２のＣＥ間は共にオフ状態となり、無線電源ラインはＴｒ４０２のエミッタには接続されない。
【００２３】
（無線電源及び有線電源が共に供給された状態）
無線電源及び有線電源の双方が供給されると、ＲＳフリップフロップ４０１のＳ端子が高電圧状態、Ｒ端子も高電圧状態となり、Ｓ端子及びＲ端子は共に負論理であることから、Ｑ端子及びｎＱ端子は、以前の状態を保持する。このため、既にＴｒ４０２のコレクタから無線電源が出力されていれば、その状態が保持され、逆に、既にＴｒ４０４のコレクタから有線電源が出力されていれば、その状態が保持される。その結果、既に確立されていた通信が維持されることとなる。
【００２４】
次に、図１に示す本ＩＣタグの電源制御手段１０９の第２の実施例を、図６を用いて説明する。
図６は、本ＩＣタグの電源制御手段１０９（２）の構成を示すブロック図である。
本電源制御手段１０９（２）は、通電制御部５０１と、通電制御部５０１により制御され、無線電源及び有線電源の通電をオン・オフするためのセレクタ５０２を有している。
【００２５】
また、通電制御部５０１は、ＣＰＵ（Central Processing Unit）、プログラムが書き込まれたＲＯＭ（Read Only Memory）、データの一時記憶のためのＲＡＭ（Random Access Memory）等を有するコンピュータであり、セレクタ５０２との通信を行うための入出力インタフェース５０１１と、抵抗５０３、５０４及び５０５、５０６によりそれぞれ分圧された無線電源及び有線電源が接続された入力ポート５０１２と、入力ポート５０１２に入力された無線電源及び有線電源の分圧レベルを検出して無線電源及び有線電源の供給状態を検出する電源検出手段５０１３と、セレクタ５０２に指示を与えて無線電源及び有線電源の通電をオン・オフする通電指示手段５１０４とを有している。
ここで、上述した通電制御部５０１が有する各手段は、プログラムによりＣＰＵを含むコンピュータで実現される機能実現手段である。
【００２６】
上記の構成において、通電制御部５０１及びセレクタ５０２は、無線電源及び有線電源が直接接続され、無線電源又は有線電源が供給されると、その動作を開始する。また、セレクタ５０２は、通電制御部５０１から送信されるコマンドを受信して、無線電源から無線送受信制御回路１０４及び共通電源ラインへの通電をオン・オフすると共に、有線電源から有線送受信制御回路１０７及び共通電源ラインへの通電をオン・オフする。
【００２７】
次に、図６の電源制御手段１０９（２）の動作手順を、図７に示すフロー図に従って説明する。
（１）無線電源又は有線電源のうち、少なくとも一方の電源が供給され、通電制御部５０１が動作を開始する（Ｓ２０１）。
（２）電源検出手段５０１３は、入力ポート５０１２に入力された無線電源の分圧レベルを検出して（Ｓ２０２）、無線電源が供給されているか否かを判定する（Ｓ２０３）。そして、無線電源が供給されているときには（Ｓ２０３、Ｙｅｓ）、入力ポート５０１２に入力された有線電源の分圧レベルを検出して（Ｓ２０４）、有線電源が供給されているか否かも判定する（Ｓ２０５）。そして、有線電源も供給されているときには（Ｓ２０５、Ｙｅｓ）、ステップＳ２０２に戻る。これにより、無線電源及び有線電源の双方が供給されているときには、セレクタ５０２の状態は変更されず、現在の通電状態が維持される。その結果、先に確立された通信が維持されることとなる。
【００２８】
（３）一方、ステップＳ２０３において、無線電源が供給されていないと判定したときは（Ｓ２０３、Ｎｏ）、有線電源は供給されているので、通電指示手段５１０４は、セレクタ５０２にコマンドを送信し、有線電源の通電をオンにして（Ｓ２０６）、ステップＳ２０２に戻る。これにより、有線電源が、有線送受信制御回路１０７及び共通電源ラインへ通電され、有線通信が確立又は維持される。
【００２９】
（４）また、ステップＳ２０５において、有線電源が供給されていないと判定したときは（Ｓ２０５、Ｎｏ）、無線電源のみが供給されているので、通電指示手段５１０４は、セレクタ５０２にコマンドを送信し、無線電源の通電をオンにして（Ｓ２０７）、ステップＳ２０２に戻る。これにより、無線電源が、無線送受信制御回路１０４及び共通電源ラインに通電され、無線通信が確立又は維持される。
【００３０】
以上説明したように、本ＩＣタグは、無線電源のみが供給されているときは、無線通信を行う際に不要となる電気回路部分には無線電源を通電せず、また、有線電源のみが供給されているときは、有線通信を行う際に不要となる電気回路部分には有線電源を通電しないため、無駄な電力消費を回避して消費電力を低減することができる。
また、無線電源及び有線電源の双方が供給されているときは、先に供給を開始した電源の通電を維持するため、上記と同様に無断な電力消費を回避しつつ、無線通信又は有線通信のうち、先に確立された通信を維持することができる。
【符号の説明】
【００３１】
１〜４・・・ＩＣタグ、１０１・・・不揮発メモリ、１０２・・・メモリ制御回路、１０３・・・アンテナ、１０４・・・無線送受信制御回路、１０５・・・無線電源回路、１０６・・・有線信号ポート、１０７・・・有線送受信制御回路、１０８・・・有線電源ポート、１０９、１０９（１）、１０９（２）・・・電源制御手段、２００・・・画像形成装置、２０１・・・スキャナ部、２０２・・・制御部、２０３・・・表示部、２０４・・・指示入力部、２０５・・・プリンタ部、２０５１〜２０５４・・・トナーボトル、３００・・・無線送受信端末、３０１・・・アンテナ、３０２・・・信号処理部、３０３・・・表示部、３０４・・・入力部、４０１・・・ＲＳフリップフロップ、４０２〜４０５・・・トランジスタ、４０６〜４０９・・・抵抗器、４１０〜４１３・・・ダイオード、５０１・・・通電制御部、５０２・・・セレクタ、５０３〜５０６・・・抵抗器、５０１１・・・入出力インタフェース、５０１２・・・入力ポート、５０１３・・・電源検出手段、５０１４・・・通電指示手段。
【先行技術文献】
【特許文献】
【００３２】
【特許文献１】特開２００３−２２４６７７号公報
【特許文献２】特許第４３３７６４５号公報
【図１】
2011257886.tif 000003
【図２】
2011257886.tif 000004
【図３】
2011257886.tif 000005
【図４】
2011257886.tif 000006
【図５】
2011257886.tif 000007
【図６】
2011257886.tif 000008
【図７】
2011257886.tif 000009